(57)【特許請求の範囲】
【請求項１】
内容物噴射用空間域としての前切欠状部，操作用空間域としての後切欠状部、およびステム作動用の噴射ボタンに対するカバー域としての左右両側の起立壁状部を備え、取外し可能な形でエアゾール容器本体側に取り付けられるカバー体において、
前記カバー体が前記エアゾール容器本体側に通常の正立状態で取り付けられたときの前記噴射ボタンより上方の所定箇所の、前記起立壁状部それぞれの間に形成され、かつ、ガス抜きモード設定用の上面部分を有する連結部と、
前記起立壁状部それぞれの、前記正立状態の連結部よりも上方部分に形成されたエアゾール容器本体側とのガス抜きモード設定用の係合部と、を少なくとも備え、
前記所定箇所は、
前記エアゾール容器本体側からいったん取り外された前記カバー体が、前記ガス抜きモード設定用の係合部の係合作用により、前記噴射ボタンを前記ステムから外した後のエアゾール容器本体側に前記正立状態とは上下逆の相対的位置関係で取り付けられる際に、
前記ステムが、前記ガス抜きモード設定用の上面部分からの押圧作用をうけてガス抜きモード位置に移動可能な箇所である、
ことを特徴とするエアゾール用カバー体。
【請求項２】
前記ガス抜きモード設定用の上面部分として斜面部分を用いる、
ことを特徴とする請求項１記載のエアゾール用カバー体。
【請求項３】
請求項１または２に記載のエアゾール用カバー体を備え、かつ、噴射用ガスおよび内容物を収容した、
ことを特徴とするエアゾール式製品。
【発明の詳細な説明】
【技術分野】
【０００１】
本発明は、内容物噴射用空間域としての前切欠状部，操作用空間域としての後切欠状部、およびステム作動用の噴射ボタンに対するカバー域としての左右両側の起立壁状部からなり、ガス抜きモード設定機能を備えたエアゾール用カバー体に関する。
【０００２】
特に、噴射ボタン使用時にも容器本体側（例えばマウンティングキャップ）に取り付けられたままであって、
容器内容物の消尽後などのエアゾール式製品廃棄に先立ってのガス抜き処理（残留ガスおよび残留内容物の放出）の際には、いったん容器本体側から外してそれまでの使用時とは上下逆の相対的位置関係で再度容器本体側に取り付けられることにより、（噴射ボタン取外し後の）ステムを、上記左右両側の起立壁状部の間に形成された連結部で押圧してガス抜きモードの位置に連続保持する、機能を備えたエアゾール用カバー体に関する。
【０００３】
なお、本発明において、「上」，「下」とはエアゾール式製品の正立状態における上下関係、すなわち図１，図５における上下関係を示している。
【背景技術】
【０００４】
従来、噴射ボタン使用時にも容器本体側に取り付けられたままのエアゾール用カバー体をいったん取り外して上下逆の位置関係で容器本体側に再度取り付けることにより、ガス抜きモードを設定する機構が提案されている（特許文献１参照）。なお、以下の[  ]の番号は特許文献１での参照番号を示している。
【０００５】
このガス抜きモード設定機構の場合、
(11)カバー体[19]の、噴射ボタンカバー域としての左右の起立壁状部内周面それぞれの上端部分に、マウンティングキャップ（巻回凸部[5]）と係合するガス抜きモード設定用の係合突起[32]を設け、
(12)カバー体[19]の爪挿通孔[1]に噴射ボタン[11]の係合爪[1]を上下動可能な形で係合させて、この係合作用により、当該カバー体をマウンティングキャップから取り外した際にも当該噴射ボタンがカバー体[19]と一体化する態様とし、
(13)この取外し後の一体化されたカバー体[19]および噴射ボタン[11]に対してその上方から、上下逆にした容器本体[1]を押し付けることにより、図４に示すように、当該カバー体の係合突起[32]をマウンティングキャップ（巻回凸部[5]）に係合させている。
【０００６】
そして上記(13)の容器本体[1]をカバー体[19]および噴射ボタン[11]に押し付ける際に、ステム[7]が噴射ボタン[11]の上面で押圧されてガス抜きモード位置へと移動する。
【先行技術文献】
【特許文献】
【０００７】
【特許文献１】特開２００２−２９３３８８号公報
【発明の概要】
【発明が解決しようとする課題】
【０００８】
このような従来のカバー体によるガス抜きモード設定においては、噴射ボタン使用時とは相対的に上下逆にした容器本体[1]をカバー体[19]に係合させることにより、ステム[7]を、当該カバー体とは別部材からなる噴射ボタン[11]の上面で押圧している。
【０００９】
すなわち、ガス抜きモード設定の際に、ステム[7]を押圧してその弁作用部を開状態にするのは、容器本体[1]に係合するカバー体[19]そのものではなく、当該カバー体にいわば上下動可能な形により取り付けられた噴射ボタン[11]である。
【００１０】
そのため、ガス抜きモードの設定に必要なステム[7]の移動ストロークが本来の所定値からずれてしまいやすいという問題点があった。
【００１１】
また、容器本体[1]と係合する左右の起立壁状部（カバー体）それぞれの上端側は互いにいわば完全分離した構造となっているので、当該起立壁状部上端側の変位などにより容器本体[1]とカバー体[19]との係合状態が解除されてしまう場合がありえるという問題点があった。
【００１２】
そこで本発明では、ガス抜きモード設定の際に容器本体側と係合する上述の左右起立壁状部（カバー体）の間で、通常の使用状態（静止モード，作動モード）の噴射ボタンよりも上方箇所に連結部を設け、かつ、この連結部でステムを押圧してガス抜きモード位置に移動させる、すなわち容器本体側と係合するカバー体の一部（左右起立壁状部間の連結部）でステムをガス抜きモード位置に駆動する形にしている。
【００１３】
これによりガス抜きモード設定の際のカバー体と容器本体側との係合状態を確実に保持できるとともに、カバー体の一部である上記連結部（左右起立壁状部間に形成された連結部）によって押圧されるステムのガス抜きモード位置への移動ストロークを的確に設定でき、さらには静止モードの噴射ボタンの誤動作防止を図ることを目的とする。
【００１４】
また、ステムを押圧するガス抜きモード設定用の連結部として斜面部分を用い、これによりステムの開口端部とその押圧部分（斜面部分）との隙間がいわば原始的に確保されるようにして、当該斜面部分に溝状部などの噴射用通路を積極的に形成しなくてもガス抜き実効性の担保化を図ることを目的とする。
【課題を解決するための手段】
【００１５】
本発明は、以上の課題を次のようにして解決する。
（１）内容物噴射用空間域としての前切欠状部（例えば後述の前切欠状部５ａ，１５ａ），操作用空間域としての後切欠状部（例えば後述の後切欠状部５ｂ，１５ｂ）、およびステム（例えば後述のステム４）作動用の噴射ボタン（例えば後述の噴射ボタン６，１６）に対するカバー域としての左右両側の起立壁状部（例えば後述の内側起立壁状部５ｃ，１５ｃ，中間起立壁状部５ｄ，１５ｄ，外側起立壁状部５ｅ，１５ｅ）を備え、取外し可能な形でエアゾール容器本体側（例えば後述の容器本体１）に取り付けられるカバー体（例えば後述のカバー体５，１５）において、
前記カバー体が前記エアゾール容器本体側に通常の正立状態で取り付けられたときの前記噴射ボタンより上方の所定箇所の、前記起立壁状部それぞれの間に形成され、かつ、ガス抜きモード設定用の上面部分（例えば後述の下側水平面部分５ｈ，１５ｈ，斜面部分５ｊ，１５ｊ）を有する連結部（例えば後述の連結部５ｇ，１５ｇ）と、
前記起立壁状部それぞれの、前記正立状態の連結部よりも上方部分に形成されたエアゾール容器本体側とのガス抜きモード設定用の係合部（例えば後述の一対の上側突状部５ｎ，１５ｓ）と、を少なくとも備え、
前記所定箇所は、
前記エアゾール容器本体側からいったん取り外された前記カバー体が、前記ガス抜きモード設定用の係合部の係合作用により、前記噴射ボタンを前記ステムから外した後のエアゾール容器本体側に前記正立状態とは上下逆の相対的位置関係で取り付けられる際に、
前記ステムが、前記ガス抜きモード設定用の上面部分からの押圧作用をうけてガス抜きモード位置に移動可能な箇所である、
エアゾール用カバー体を用いる。
（２）上記（１）において、
前記ガス抜きモード設定用の上面部分として斜面部分（例えば後述の斜面部分５ｊ，１５ｊ）を用いる。
【００１６】
このような構成からなるエアゾール用カバー体および、当該カバー体を備えたエアゾール式製品を本発明の対象としている。
【発明の効果】
【００１７】
本発明は以上述べたように、ガス抜きモード設定の際に容器本体側と係合する上述の左右起立壁状部（カバー体）の間で、通常の使用状態の噴射ボタンよりも上方箇所に連結部を設け、かつ、この連結部でステムを押圧してガス抜きモード位置に移動させる、すなわち容器本体側と係合するカバー体の一部（左右起立壁状部間の連結部）でステムをガス抜きモード位置に駆動する形にしている。
【００１８】
そのため、ガス抜きモード設定の際のカバー体と容器本体側との係合状態を確実に保持できるとともに、カバー体の一部である連結部によって押圧されるステムのガス抜きモード位置への移動ストロークを的確に設定でき、さらには静止モードの噴射ボタンの誤動作防止を図ることができる。
【００１９】
また、ステムを押圧するガス抜きモード設定用の連結部として斜面部分を用い、これによりステムの開口端部とその押圧部分（斜面部分）との隙間がいわば原始的に確保されるようにしているので、当該斜面部分に溝状部などの噴射用通路を積極的に形成しなくてもガス抜き実効性の担保化を図ることができる。
【図面の簡単な説明】
【００２０】
【図１】回動タイプの噴射ボタンを使用する噴射機構の静止モードを示す説明図である。
【図２】図１の噴射ボタンおよびカバー体の斜視状態を示す説明図である。
【図３】図１の噴射ボタンおよびカバー体を容器本体から取り外してガス抜きモードに設定する際の初期段階を示す説明図である。
【図４】図３に続いて設定されるガス抜きモードの状態を示す説明図である。
【図５】上下動タイプの噴射ボタンを使用する噴射機構の静止モードを示す説明図である。
【図６】図５の噴射ボタンおよびカバー体を容器本体から取り外してガス抜きモードに設定する際の初期段階を示す説明図である。
【図７】図６に続いて設定されるガス抜きモードの状態を示す説明図である。
【発明を実施するための形態】
【００２１】
図１〜図７を用いて本発明を実施するための最良の形態を説明する。
【００２２】
なお、以下のアルファベット付き参照番号の構成要素（例えば肩カバー１ａ）は原則として、当該参照番号の数字部分の構成要素（例えば容器本体１）の一部であることを示している。
【００２３】
図１〜図７において、
１は後述の内容物および噴射用ガスを収納したエアゾール式製品の容器本体，
１ａは当該容器本体の胴部分上端側に巻き締め加工などにより固定された肩カバー（図１〜図４の容器本体のみで使用），
１ｂは当該肩カバーの下端外側に形成されて後述の段部５ｐが当接する環状天面部，
１ｃは当該容器本体と肩カバー１ａとのインタフェース部分下方に形成されて後述の下側突状部５ｒが着脱可能な態様で係合する下側環凹状部，
２は容器本体１の開口端部側に取り付けられたマウンティングキャップ，
３は肩カバー１ａとマウンティングキャップ２とのインタフェース部分下方に形成されてガス抜きモード設定の際に後述の上側突状部５ｎ，１５ｓが係合する上側環凹状部，
４は周知のバルブ機構（図示省略）の構成要素であるステム，
をそれぞれ示している。
【００２４】
図１〜図４（カバー体と一体化された回動タイプの噴射ボタンを使用）において、
５は内容物の噴射操作時にも容器本体側（下側環凹状部１ｃ）との係合状態に保持される一方、エアゾール式製品廃棄に先立つガス抜き処理（残留ガスおよび残留内容物の放出）の際には、容器本体側からいったん取り外されてから相対的に上下逆の状態でマウンティングキャップ２（上側環凹状部３）に取り付けられることにより、ステム４を直接押圧してガス抜きモード位置に設定保持する機能を備えた筒状のカバー体，
５ａは内容物噴射用空間域としての前切欠状部，
５ｂは操作用空間域としての後切欠状部，
５ｃは対向状態で形成され、後述の噴射ボタン６に対するカバー域として作用する左右両側の内側起立壁状部，
５ｄは当該内側起立壁状部の前後方向中央上端部分からその直ぐ外側に膨らんで上方向に形成された左右両側の円弧状の中間起立壁状部，
５ｅは当該中間起立壁状部の直ぐ外側に形成された円筒状の外側起立壁状部，
５ｆは当該外側起立壁状部から下方に延びる筒状基部，
５ｇは通常使用モードの後述の噴射ボタン６より上方所定位置の内側起立壁状部５ｃ間に形成され、ステム４をガス抜きモード位置に移動させる機能を備えた連結部，
５ｈは当該連結部の上面前側部分であってステム４を直接押圧する下側水平面部分，
５ｊは当該下側水平面部分から後方に上り傾斜で続く斜面部分，
５ｋは当該斜面部分から後方に続く上側水平面部分，
５ｍは下側水平面部分５ｈに内側起立壁状部５ｃ同士を結ぶ左右方向の態様で形成され、ガス抜きモードの際、ステム４の開口端部から流出する残留ガスなどの噴射用通路として作用する複数の溝状部，
５ｎは通常使用モードにおける連結部５ｇ（上側水平面部分５ｋ）より上方の、中間起立壁状部５ｄの上側内周面に形成され、マウンティングキャップ２近傍の上側環凹状部３に嵌合してカバー体５をガス抜きモード位置に保持する機能を備えた一対の上側突状部，
５ｐは筒状基部５ｆの内周面に形成されたリブの底面部分からな計八個の段部，
５ｒは当該段部の下方内周面に形成され、通常使用モードにおいて容器本体側の下側環凹状部１ｃと係合する計四個の下側突状部，
６はステム４に取り付けられて押圧操作により回動するタイプの噴射ボタン，
６ａはカバー体５の前方部（前切欠状部５ａの底面部）との接続部分であり押圧操作時のいわば回動中心軸として作用し、また押圧操作解除にともない元の位置に弾性復帰する片部，
６ｂは利用者が押圧操作する際の操作面，
６ｃは内容物やガスの噴射孔，
６ｄはステム４の取付口から当該噴射孔までの噴射用通路，
をそれぞれ示している。
【００２５】
図５〜図７（カバー体と別体タイプの噴射ボタンを使用）において、
１５はカバー体５と同様のガス抜きモード設定機能を備えたカバー体， 
１５ａは内容物噴射用空間域としての前切欠状部，
１５ｂは操作用空間域としての後切欠状部，
１５ｃは対向状態で形成され、後述の噴射ボタン１６に対するカバー域として作用する左右両側の内側起立壁状部，
１５ｄは内側起立壁状部１５ｃの直ぐ外側に形成された左右両側の円弧状（下側部分は円筒状）の中間起立壁状部，
１５ｅは当該中間起立壁状部の直ぐ外側に形成された円筒状の外側起立壁状部，
１５ｆは当該外側起立壁状部から下方に延びる筒状基部，
１５ｇは連結部５ｇと同様の位置関係で内側起立壁状部１５ｃ間に形成され、ステム４をガス抜きモード位置に移動させる機能を備えた連結部，
１５ｈは当該連結部の上面前側部分であってステム４を直接押圧する下側水平面部分，
１５ｊは当該下側水平面部分から後方に上り傾斜で続く斜面部分，
１５ｋは当該斜面部分から後方に続く上側水平面部分，
１５ｍは下側水平面部分１５ｈに形成され、カバー体５の溝状部５ｍと同様の機能を備えた溝状部，
１５ｎは内側起立壁状部１５ｃの内周面下端側部分に形成され、後述の噴射ボタン１６の上下動に対する案内機能、容器本体１からカバー体といっしょに当該噴射ボタンを取り外す機能、およびカバー体取外し後の当該噴射ボタンの下方向への抜け防止機能を備えた計二個の内方突出部，
１５ｐは内側起立壁状部１５ｃの内周面下端から上方向に形成され、容器本体１から取り外されたカバー体および後述の噴射ボタン１６を上下逆（図５などと逆）にした場合における当該噴射ボタンの受止め機能を備えた計四個の内壁スリット，
１５ｒは中間起立壁状部１５ｄの下側内周面（円筒部内周面）に形成され、通常使用モードにおいてマウンティングキャップ２近傍の上側環凹状部３と係合する略環状の下側突状部，
１５ｓは中間起立壁状部１５ｄそれぞれの上端側内周面に形成され、マウンティングキャップ２近傍の上側環凹状部３と嵌合してカバー体１５をガス抜きモード位置に保持する機能を備えた一対の上側突状部，
１６はステム４に取り付けられて押圧操作により下動するタイプ、すなわちカバー体１５とは別部材で鞘状の噴射ボタン，
１６ａは当該噴射ボタンの周面部下端部から上方向に形成され、カバー体１５の内方突出部１５ｎに対しての当該噴射ボタンの移動ストロークを確保し、かつ、当該内方突出部との協働作用により当該噴射ボタンの回動を阻止するとともに、当該カバー体を容器本体側から取り外す際に当該噴射ボタンも一体化してステム４から取外して、取外し後の正立状態の当該噴射ボタンが当該カバー体から抜け落ちるのを防止する機能を備えた計二個のボタンスリット，
１６ｂは当該ボタンスリットの上端の天井部，
１６ｃは当該噴射ボタンの外周面下端側に形成され、容器本体１から取り外されたカバー体１５および当該噴射ボタンを上下逆にしたときに当該カバー体の内壁スリット１５ｐに係止される突状段部，
１６ｄは利用者が押圧操作する際の操作面，
１６ｅは内容物やガスの噴射孔，
をそれぞれ示している。
【００２６】
ここで、カバー体５，１５および噴射ボタン６，１６は例えばポリプロピレン，ポリエチレン，ポリアセタール，ナイロン，ポリブチレンテレフタレートなどからなるプラスチック製のものである。容器本体１やマウンティングキャップ２は例えば金属性のものである。ステム４は例えばプラスチック製または金属製のものである。
【００２７】
本発明にかかる図示カバー体の基本的特徴は、
(21)カバー体５，１５の左右両側の内側起立壁状部５ｃ，１５ｃそれぞれの間に連結部５ｇ，１５ｇが形成され、
(22)連結部５ｇ，１５ｇは、ステム４を押圧してガス抜きモード位置に移動させるための下側水平面部分５ｈ，１５ｈを備え、
(23)カバー体５，１５の中間起立壁状部５ｄ，１５ｄそれぞれの内周面に、マウンティングキャップ近傍の上側環凹状部３と嵌合してガス抜きモードを設定するための上側突状部５ｎ，１５ｓが形成され、
(24)連結部５ｇ，１５ｇおよび上側突状部５ｎ，１５ｓと容器本体１，ステム４との位置関係を、
噴射ボタン６，１６とともに容器本体１から取り外したカバー体５，１５の上側開口部に通常の使用モードとは上下逆状態の容器本体１を装填してその上側突状部５ｎ，１５ｓをマウンティングキャップ近傍の上側環凹状部３と嵌合させたとき、ステム４が、連結部５ｇ，１５ｇの下側水平面部分５ｈ，１５ｈでステム４が押圧されてガス抜きモード位置に移動する、形に設定した（図４，図７参照）、
ことである。
【００２８】
ここで、ステム４をガス抜きモード位置に駆動するための連結部５ｇ，１５ｇ（下側水平面部分５ｈ，１５ｈ）も、マウンティングキャップ近傍の上側環凹状部３の嵌合相手のカバー体５，１５の一部として形成されているので、上記(24)の位置関係をより正確に設定することができる。
【００２９】
また、このステム駆動用の連結部５ｇ，１５ｇは上側環凹状部３の嵌合相手である左右両側の中間起立壁状部５ｄ，１５ｄ（上側突状部５ｎ，１５ｓ）同士の連結作用も奏しているので、上側環凹状部３と上側突状部５ｎ，１５ｓとのガス抜きモード嵌合状態が不意の外力などにより解除されてしまうおそれはほとんどない。
【００３０】
また、噴射ボタン６，１６の上方が連結部５ｇ，１５ｇでいわば覆われているので、当該操作ボタンを不用意に押圧されるなどの誤動作を阻止することができる。
【００３１】
図４および図７で示すように、ステム４のガス抜きモード位置が、カバー体５，１５の上側突状部５ｎ，１５ｓと上側環凹状部３との嵌合作用により継続して保持されることにより、当該ステムの周知のバルブ機構（図示省略）は開いたままとなる。
【００３２】
その結果、容器本体内部などに残留しているガスや内容物が、ステム４から連結部５ｇ，１５ｇ（下側水平面部分５ｈ，１５ｈ）の溝状部５ｍ，１５ｍなどを経て外部空間域に連続放出される。
【００３３】
利用者が図１，図５の静止モードの上側水平面部分５ｋ，１５ｋの下方空間域に指を入れて噴射ボタン６，１６の操作面６ｂ，１６ｄを押し下げると、ステム４が下動してガス抜きモードのときと同じように周知のバルブ機構が開いて容器本体１の内容物が当該噴射ボタンの噴射用通路を経て噴射孔６ｃ，１６ｅから外部空間域に放出される。このときのバルブ機構の動作自体はガス抜きモードと同じである。
【００３４】
なお、噴射ボタン１６には上下方向のボタンスリット１６ａが、カバー体１５の内方突出部１５ｎに対しての当該噴射ボタンの押圧操作時の移動ストロークが確保される態様で、形成されている。
【００３５】
図１，図５の噴射機構をガス抜きモードに設定する場合は先ずカバー体５，１５を容器本体１に対して上方にいわば持ち上げることにより、カバー体５についてはその下側突状部５ｒと容器本体１の下側環凹状部１ｃとの係合状態を解除し、また、カバー体１５についてはその下側突状部１５ｒとマウンティングキャップ近傍の上側環凹状部３との係合状態を解除する。
【００３６】
この係合状態後、図３，図４，図６，図７で示すように、
(31)カバー体５，１５および噴射ボタン６，１６が分離した状態の容器本体１を上下逆にして、
(32)正立状態（通常の使用モードの上下関係）のカバー体５，１５の上側開口部に、上下逆状態の容器本体１を装填してその上側突状部５ｎ，１５ｓをマウンティングキャップ近傍の上側環凹状部３と嵌合させる。
【００３７】
なお、カバー体１５を持ち上げて容器本体１から取り外すとき、当該カバー体の内方突出部１５ｎは、噴射ボタン１６の上下方向のボタンスリット１６ａを通過してからその天井部１６ｂに当接する。
【００３８】
このカバー体１５の持ち上げにともなう内方突出部１５ｎとボタンスリット１６ａの天井部１６ｂとの当接後は、噴射ボタン１６および当該カバー体１５はその持ち上げ方向に対して一体化するので、当該噴射ボタンもステム４から取り外される。
【００３９】
ステム４から取り外された噴射ボタン１６は、その天井部１６ｂが内方突出部１５ｎに保持されたままとなるのでカバー体１５から下方に抜けることはない（図６参照）。
【００４０】
噴射ボタン１６をカバー体１５に組み込むには、その左右両側の内側起立壁状部１５ｃの下開口部から当該噴射ボタンを押し入れる。
【００４１】
図示の噴射機構では、ステム４の開口端部を連結部５ｇ，１５ｇの下側水平面部分５ｈ，１５ｈに当接させることによりガス抜きモードを設定しているが、これに代えて当該開口端部を当該連結部の斜面部分５ｊ，１５ｊに当接させてもよい。
【００４２】
この場合、斜面部分５ｊ，１５ｊとステム４の開口端部との間には隙間が生じるので、下側水平面部分５ｈ，１５ｈにおける噴射用通路としての溝状部５ｍ，１５ｍを設けなくてもよい。
【００４３】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４４】
容器本体に収納する内容物は、例えば、粉状物，油成分，アルコール類，界面活性剤，高分子化合物，各用途に応じた有効成分などである。
【００４５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４７】
アルコール類としては、エタノールなどの１価の低級アルコール，ラウリルアルコールなどの１価の高級アルコール，エチレングリコールなどの多価アルコールなどを用いる。
【００４８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４９】
高分子化合物としては、メチルセルロース，ゼラチン，デンプン，カゼインなどを用いる。
【００５０】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５１】
さらに、上記内容物以外の、懸濁剤，紫外線吸収剤，乳化剤，保湿剤，酸化防止剤、金属イオン封鎖剤なども用いることができる。
【００５２】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５３】
（図１〜図７で使用）
１：エアゾール式製品の容器本体
１ａ：肩カバー（図１〜図４のみで使用）
１ｂ：環状天面部
１ｃ：下側環凹状部
２：マウンティングキャップ
３：上側環凹状部
４：ステム
【００５４】
（図１〜図４で使用）
５：カバー体
５ａ：前切欠状部
５ｂ：後切欠状部
５ｃ：左右両側の内側起立壁状部
５ｄ：左右両側の円弧状の中間起立壁状部
５ｅ：円筒状の外側起立壁状部
５ｆ：筒状基部
５ｇ：連結部
５ｈ：下側水平面部分
５ｊ：斜面部分
５ｋ：上側水平面部分
５ｍ：溝状部
５ｎ：一対の上側突状部
５ｐ：計八個の段部
５ｒ：計四個の下側突状部
６：回動タイプの噴射ボタン
６ａ：片部
６ｂ：操作面
６ｃ：噴射孔
６ｄ：噴射用通路
【００５５】
（図５〜図７で使用）
１５：カバー体
１５ａ：前切欠状部
１５ｂ：後切欠状部
１５ｃ：左右両側の内側起立壁状部
１５ｄ：左右両側の円弧状（下側部分は円筒状）の中間起立壁状部
１５ｅ：円筒状の外側起立壁状部
１５ｆ：筒状基部
１５ｇ：連結部
１５ｈ：下側水平面部分
１５ｊ：斜面部分
１５ｋ：上側水平面部分
１５ｍ：溝状部
１５ｎ：計二個の内方突出部
１５ｐ：計四個の内壁スリット
１５ｒ：略環状の下側突状部
１５ｓ：一対の上側突状部
１６：上下動タイプの噴射ボタン
１６ａ：計二個のボタンスリット
１６ｂ：天井部
１６ｃ：突状段部
１６ｄ：操作面
１６ｅ：噴射孔
【図１】
0005436272.tif 000002
【図２】
0005436272.tif 000003
【図３】
0005436272.tif 000004
【図４】
0005436272.tif 000005
【図５】
0005436272.tif 000006
【図６】
0005436272.tif 000007
【図７】
0005436272.tif 000008